(57)【要約】【課題】  取り替え作業に伴う眼鏡ユーザーの負担が少なく、ユーザー自らが手軽に且つ安価に取り替え可能である眼鏡フレーム用テンプルを提供する。【解決手段】  耳掛部材１１０と、芯金部１２１を有する芯金部材１２０とを備え、芯金部材１２０は、芯金部１２１の基端部側２ａ側方に設けられた第１支持部１２２ａと、先端部側２ｂに向けて軸方向に沿って延びる第２支持部１２２ｂと、芯金部１２１側に向けて突出する係止部１２２ｃとからなる係止部材１２２を有し、耳掛部材１１０は、芯金部１２１を挿通し挿通穴１１１と、係止部１２２ｃと係合する係合穴１１２とを有し、第１及び第２支持部１２２ａ，１２２ｂのうち少なくとも一方が可撓性を有している眼鏡フレーム用テンプル２。【選択図】  図３
2006153945.tif 000002
【特許請求の範囲】
【請求項１】
耳掛部材と、芯金部を有する芯金部材とを備え、
前記芯金部材は、前記芯金部の基端部側側方に設けられた第１支持部と、該第１支持部から先端部側に向けて軸方向に沿って延びる第２支持部と、該第２支持部の先端部側から該芯金部側に向けて突出する係止部とからなる係止部材を有しており、
前記耳掛部材は、前記芯金部を挿通する挿通穴であって、基端部に設けられた開口から先端部側に向けて軸方向に沿って延びる挿通穴と、前記係止部と係合する係合穴とを有しており、
前記第１支持部及び前記第２支持部のうち少なくとも一方が可撓性を有していることを特徴とする眼鏡フレーム用テンプル。
【発明の詳細な説明】
【技術分野】
【０００１】
本発明は、眼鏡フレーム用テンプルに関する。
【背景技術】
【０００２】
眼鏡フレームは、前枠、テンプル、丁番等のフレーム部材が連結されて構成されている。この眼鏡フレームを構成する部材の中でも、ユーザーの皮膚に直接接触するテンプルは、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾されたテンプルの中からＴＰＯ（時（Time）、所（Place）、場合（Occasion））に併せて選択された好みのテンプルに取り替えることも考えられる。
【０００３】
眼鏡フレームを構成する従来のテンプルとして、プラスチック製の耳掛部材に金属製の芯金を内挿したテンプル、所謂プラスチックテンプルと呼ばれるもの（以下、プラスチックテンプルという）や、主要部が金属で形成されていて先端部にプラスチック製の先セルが取り付けられたテンプル、所謂メタルテンプルと呼ばれるもの（以下、メタルテンプルという）が知られている。
【発明の開示】
【発明が解決しようとする課題】
【０００４】
ところが、前記したような従来の眼鏡フレームでは、ユーザー自らがテンプルを取り替えることは困難であり、またテンプルを構成する部材の一部、例えば、テンプルを構成する部材のうち特に劣化し易い部材のみをユーザー自らが取り替えることも困難である。いずれにしても店舗に足を運んで取り替えを依頼する必要がある。
【０００５】
また、店舗に足を運んで取り替えを依頼する場合であっても、テンプルを構成する部材の一部について、例えば、プラスチックテンプルを構成する耳掛部材のみを取り替えることはできず、テンプル全体を取り替える必要があるため、コストが掛かってしまう。
【０００６】
本発明は、斯かる従来技術の問題点を解決するべくなされたものであり、取り替え作業に伴う眼鏡ユーザーの負担が少なく、ユーザー自らが手軽に且つ安価に取り替え可能である眼鏡フレーム用テンプルを提供することを課題とする。
【課題を解決するための手段】
【０００７】
前記課題を解決するべく、本発明は、耳掛部材と、芯金部を有する芯金部材とを備え、前記芯金部材は、前記芯金部の基端部側側方に設けられた第１支持部と、該第１支持部から先端部側に向けて軸方向に沿って延びる第２支持部と、該第２支持部の先端部側から該芯金部側に向けて突出する係止部とからなる係止部材を有しており、前記耳掛部材は、前記芯金部を挿通する挿通穴であって、基端部に設けられた開口から先端部側に向けて軸方向に沿って延びる挿通穴と、前記係止部と係合する係合穴とを有しており、前記第１支持部及び前記第２支持部のうち少なくとも一方が可撓性を有していることを特徴とする眼鏡フレーム用テンプルを提供するものである。
【０００８】
本発明の眼鏡フレーム用テンプルは、所謂プラスチックテンプルタイプの如く構成されていてもよいし、所謂メタルテンプルタイプの如く構成されていてもよい。後者のように所謂メタルテンプルタイプの如く構成される場合、前記耳掛部材は先セルを構成し得る。なお、本発明の眼鏡フレーム用テンプルにおいて「基端部」とは眼鏡フレームを構成した場合のレンズを保持する前枠側の端部をいい、「先端部」とは前記前枠側とは反対側の端部をいう。
【０００９】
本発明に係る眼鏡フレーム用テンプルでは、前記耳掛部材が前記芯金部材に取り付けられる際に、前記芯金部材における前記芯金部が前記耳掛部材における前記挿通穴に前記開口から先端部側に向けて挿入される。このとき、前記芯金部に設けられた前記第２支持部における前記係止部が、前記耳掛部材の側面に乗り上げると共に該乗り上げによって前記第１支持部及び前記第２支持部のうちの可撓性を有する側の支持部が撓みつつ、前記耳掛部材の基端部側から先端部側に向けて前記耳掛部材の側面に沿って相対移動し、前記耳掛部材における前記係合穴に移行し、ここで該係合穴に係入されて係止される。これにより、前記耳掛部材が前記芯金部材に保持され、こうして前記耳掛部材が前記芯金部材に簡単に取り付けられ得る。また、前記耳掛部材が前記芯金部材から取り外される際には、前記耳掛部材の前記挿通穴に挿通されている前記芯金部材の前記芯金部が前記開口部を介して基端部側に向けて引き抜かれる。このとき、前記第２支持部における前記係止部が、前記耳掛部材の側面に乗り上げると共に該乗り上げによって前記第１支持部及び前記第２支持部のうちの可撓性を有する側の支持部が撓みつつ、前記耳掛部材の先端部側から基端部側に向けて前記耳掛部材の側面に沿って相対移動し、前記耳掛部材の基端部から離間する。こうして前記耳掛部材が前記芯金部材から簡単に取り外され得る。
【００１０】
このように本発明に係る眼鏡フレーム用テンプルによると、該テンプルを構成する前記耳掛部材が、同じく該テンプルを構成する前記芯金部材に対して簡単に取り付け、取り外しできるので、ユーザー自らが前記耳掛部材を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００１１】
なお、前記第１支持部は、前記芯金部の基端部側側方に設けられるが、該基端部側側方であればいずれの場所でもよく、本発明に係る眼鏡フレーム用テンプルが眼鏡フレームを構成した場合の該眼鏡フレームの使用姿勢において、例えば、前記芯金部の外側面、内側面、上側面及び下側面のうち少なくとも一つの側面に設けられ得る。
【００１２】
また、前記芯金部は、断面視矩形状に形成されていてもよいし、断面視円形状に形成されていてもよい。いずれにしても、前記挿通穴は、前記芯金部の形状に対応して、断面視矩形状や断面視円形状に形成することができる。また、前記耳掛部材において、前記挿通穴及び前記係合穴が互いに連通していてもよいし、前記係合穴が有底の凹状穴であってもよい。
【００１３】
本発明に係る眼鏡フレーム用テンプルにおいて、前記耳掛部材には、基端部から前記係合穴に向けて軸方向に沿って延びる摺動溝が設けられていることが好ましい。こうすることで、前記耳掛部材の厚みが前記摺動溝部分で薄くなり、前記係止部が前記耳掛部材側面へ乗り上げる際の乗り上げ度合いを抑制でき、これにより、該乗り上げの際の前記第１支持部及び前記第２支持部のうちの可撓性を有する側の支持部の撓み過ぎによる塑性変形等の発生を抑制することができる。ここで、前記芯金部が、例えば、断面視円形状に形成されているような場合には、前記係止部が前記耳掛部材の基端部側から先端部側に向けて前記耳掛部材の側面に沿って相対移動する際に、前記係止部が前記耳掛部材の周方向にも相対移動（回転）してしまい、前記係合穴にうまく係入され難いところ、前記したように前記耳掛部材に前記摺動溝を設けることで、前記係止部を前記係合穴にうまく誘導することができ、これにより前記係止部が前記係合穴に容易に係入され得る。なお、前記摺動溝の幅は、前記係止部の幅と略同一にすることが好ましい。この場合、基端部側で幅広にすれば、基端部側で前記係止部に係合され易くすることができる。
【００１４】
本発明に係る眼鏡フレーム用テンプルにおいて、前記係止部は、断面視略三角形状に形成されていて、該三角形状の先端部側の一辺と前記芯金部となす角度が９０°より小さい角度であることが好ましい。こうすることで、前記係止部を前記係合穴にスムーズに係入することができる。ここで、前記三角形状の基端部側の他辺と前記芯金部となす角度が略９０°又は９０°より大きい角度であると、前記耳掛部材を前記芯金部材から取り外す際には、実際上人の手指等で前記係止部を前記耳掛部材に対して離間する方向に直接持ち上げる動作が必要になる。そこで、前記三角形状の基端部側の他辺と前記芯金部となす角度を９０°より小さい角度にすることが好ましい。こうすることで、前記耳掛部材を前記芯金部材から取り外す際に該耳掛部材が該芯金部材から抜け易くすることができる。
【００１５】
また、前記耳掛部材が前記芯金部材に着脱されるにあたって、前記係止部が前記耳掛部材側面に乗り上げる際に人の手指等で前記係止部が前記耳掛部材に対して離間する方向に直接持ち上げられる場合であっても、本発明に係る眼鏡フレーム用テンプルにおいて、前記第２支持部が、前記第１支持部から基端部側に向けて軸方向に沿って延びる力点部をさらに有しており、該力点部に対して前記芯金部側に人の手指等で外力が加えられることにより、前記係止部側が前記第１支持部を支点として前記係合穴との係止姿勢から前記芯金部に対して離間する方向に回動し、前記外力が解除されることにより、前記係止姿勢に復帰するように構成されていることで、人の手指等で前記係止部が前記耳掛部材に対して離間する方向に直接持ち上げられる際に、前記第２支持部の前記係止部側を回動させるために人の手指等によって前記力点部に加える力をテコの作用によって軽減でき、これにより、該係止部を容易に持ち上げることができる。この場合、前記第１支持部及び前記第２支持部のうち少なくとも前記第１支持部を可撓性を有するものとすることができる。
【発明の効果】
【００１６】
以上説明したように本発明によると、取り替え作業に伴う眼鏡ユーザーの負担が少なく、ユーザー自らが手軽に且つ安価に取り替え可能である眼鏡フレーム用テンプルを提供することができる。
【発明を実施するための最良の形態】
【００１７】
以下、添付図面を参照しつつ、本発明の実施の形態について説明する。図１は本発明の実施形態に係る眼鏡フレーム用テンプルであって、所謂プラスチックテンプルタイプの如く構成したテンプルの一例２を備えた眼鏡フレーム１０の概略構成を示す斜視図である。なお、テンプル２において、以下に記述する「基端部」とは眼鏡フレーム１０を構成した場合の前枠１側の端部をいい、「先端部」とは前記前枠側１とは反対側の端部をいう。
【００１８】
図１に示すように、眼鏡フレーム１０は、レンズを保持する前枠１と、該前枠１の両端からそれぞれ先端部側２ｂに延出する左右一対のテンプル２と、前枠１の両端部でテンプル２を開閉させるための蝶番３とを具備するものである。
【００１９】
図２は図１に示すテンプル２において芯金部材の一例１２０から耳掛部材の一例１１０を取り外した状態の該耳掛部材１１０及び該芯金部材１２０を示す概略構成図であり、図２（Ａ）にその平面図を、図２（Ｂ）にその外側面図を示す。また、図３は、図２（Ａ）に示す芯金部材１２０と耳掛部材１１０との取り付け部分の一部断面を含む拡大図を、図４は耳掛部材１１０が芯金部材１２０に取り付けられた状態の拡大図を示している。なお、図２から図４ではいずれも右テンプルを示している。この右テンプルは左テンプルとは左右対称になっているだけで、該左テンプルと実質的に同様の構成をしており、ここでは、左テンプルについては図示を省略し、右テンプルに代表させて示している。後述する図５についても同様である。
【００２０】
テンプル２は、本例では、所謂プラスチックテンプルタイプの如く構成されており、耳掛部材１１０と芯金部材１２０とを備えている。このテンプル２において、耳掛部材１１０は芯金部材１２０に対して着脱可能となっている。
【００２１】
芯金部材１２０は、本例では、金属材料からなっており、芯金部１２１を備えていて、該芯金部１２１の基端部側２ａ側方（本例では芯金部１２１の外側面）に設けられた第１支持部１２２ａと、該第１支持部１２２ａから先端部側２ｂに向けて軸方向に沿って延びる第２支持部１２２ｂと、該第２支持部１２２ｂの先端部側２ｂから該芯金部１２１側に向けて突出する係止部１２２ｃとからなる係止部材１２２とを有している。
【００２２】
さらに説明すると、芯金部１２１は、本例では、断面視矩形状に形成されており、第１支持部１２２ａ及び第２支持部１２２ｂがそれぞれ可撓性を有している。第１支持部１２２ａは、本例では、平面視略Ｕ字形状に形成されており、第１支持部１２２ａ及び第２支持部１２２ｂ並びに係止部１２２ｃは一体的に形成されている。また、係止部１２２ｃは、本例では、断面視略三角形状に形成されていて、図３に示すように、該三角形状の先端部側２ｂの一辺ｈ１及び基端部側２ａの他辺ｈ２と芯金部１２１となす角度θ１，θ２をいずれも９０°より小さい角度としている。
【００２３】
なお、第２支持部１２２ｂは、図５に示すように、第１支持部１２２ａから基端部側２ａに向けて軸方向に沿って延びる力点部１２２ｂ’を有していてもよい。このような第２支持部１２２ｂは、力点部１２２ｂ’に対して芯金部１２１側（図中矢印Ｆ方向）に外力が加えられることにより、係止部１２２ｃ側が第１支持部１２２ａを支点として後述する耳掛部材１１０における係合穴１１２との係止姿勢から芯金部１２１に対して離間する方向（図中Ｘ方向）に回動し、前記外力が解除されることにより、芯金部１２１に近づく方向（図中Ｙ方向）に回動し、前記係止姿勢に復帰するように構成される。
【００２４】
耳掛部材１１０は、本例では、樹脂材料（例えば、アセテート）からなっており、先端部２ｂ側から蝶番３付近まで延びていて、芯金部１２１を挿通する挿通穴１１１と、係止部１２２ｃと係合する係合穴１１２とを有している。挿通穴１１１は、基端部１１０ａに設けられた開口１１１ａから先端部側２ｂに向けて軸方向に沿って延びていて、本例では、芯金部１２１の形状に対応して、断面視矩形状に、且つ芯金部１２１全体が挿入できるように、全体の内径が該芯金部１２１の径より若干大きくなるように形成されており、耳掛部材１１０において、挿通穴１１１及び係合穴１１２が互いに連通している。また、耳掛部材１１０には、基端部１１０ａから係合穴１１２に向けて軸方向に沿って延びる摺動溝１１３が設けられている。なお、耳掛部材１１０を構成する樹脂材料は、前記のアセテートに限定されず、各種のものを用いることができる。また樹脂材料の他、金属材料や木などを用いてもよい。
【００２５】
以上説明した眼鏡フレーム用テンプル２では、耳掛部材１１０が芯金部材１２０に取り付けられる際に、芯金部材１２０における芯金部１２１が耳掛部材１１０における挿通穴１１１に開口１１１ａから先端部側２ｂに向けて挿入される。このとき、芯金部１２１に設けられた第２支持部１２２ｂにおける係止部１２２ｃが、耳掛部材１１０の側面に乗り上げると共に該乗り上げによって可撓性を有する第１支持部１２２ａ及び／又は第２支持部１２２ｂが撓みつつ、耳掛部材１１０の基端部側２ａから先端部側２ｂに向けて耳掛部材１１０の側面に沿って相対移動し、耳掛部材１１０における係合穴１１２に移行し、ここで該係合穴１１２に係入されて係止される。これにより、耳掛部材１１０が芯金部材１２０に保持され、こうして耳掛部材１１０が芯金部材１２０に簡単に取り付けられ得る。また、耳掛部材１１０が芯金部材１２０から取り外される際には、耳掛部材１１０の挿通穴１１１に挿通されている芯金部材１２０の芯金部１２１が開口部を１１１ａ介して基端部側２ａに向けて引き抜かれる。このとき、第２支持部１２２ｂにおける係止部１２２ｃが、耳掛部材１１０の側面に乗り上げると共に該乗り上げによって可撓性を有する第１支持部１２２ａ及び／又は第２支持部１２２ｂが撓みつつ、耳掛部材１１０の先端部側２ｂから基端部側２ａに向けて耳掛部材１１０の側面に沿って相対移動し、耳掛部材１１０の基端部１１０ａから離間する。こうして耳掛部材１１０が芯金部材１２０から簡単に取り外され得る。
【００２６】
このように眼鏡フレーム用テンプル２によると、該テンプル２を構成する耳掛部材１１０が、同じく該テンプル２を構成する芯金部材１２０に対して簡単に取り付け、取り外しできるので、ユーザー自らが耳掛部材１１０を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００２７】
また、耳掛部材１１０には、基端部１１０ａから係合穴１１２に向けて軸方向に沿って延びる摺動溝１１３が設けられているので、耳掛部材１１０の厚みが摺動溝１１３部分で薄くなり、係止部１２２ｃが耳掛部材１１０側面へ乗り上げる際の乗り上げ度合いを抑制でき、これにより、該乗り上げの際の可撓性を有する第１支持部１２２ａ及び／又は第２支持部１２２ｂの撓み過ぎによる塑性変形等の発生を抑制することができる。また、ここでの芯金部１２１は、断面視矩形状に形成されているが、例えば、断面視円形状に形成されているような場合には、係止部１２２ｃが耳掛部材１１０の基端部側２ａから先端部側２ｂに向けて耳掛部材１１０の側面に沿って相対移動する際に、係止部１２２ｃが耳掛部材１１０の周方向にも相対移動（回転）してしまい、係合穴１１２にうまく係入され難いところ、前記したように耳掛部材１１０に摺動溝１１３を設けることで、係止部１２２ｃを係合穴１１２にうまく誘導することができ、これにより係止部１２２ｃが係合穴１１２に容易に係入され得る。
【００２８】
また、係止部１２２ｃが、断面視略三角形状に形成されていて、該三角形状の先端部側２ｂの一辺ｈ１と芯金部１２１となす角度θ１を９０°より小さい角度であるので、係止部１２２ｃを係合穴１１２にスムーズに係入することができると共に、前記三角形状の基端部側２ａの他辺ｈ２と芯金部１２１となす角度θ２が９０°より小さい角度であるので、耳掛部材１１０を芯金部材１２０から取り外す際には耳掛部材１１０が芯金部材１２０から抜け易くすることができる。
【００２９】
また、図５に示すように、第２支持部１２２ｂが、第１支持部１２２ａから基端部側２ａに向けて軸方向に沿って延びる力点部１２２ｂ’を有している場合、耳掛部材１１０が芯金部材１２０に着脱されるにあたって、係止部１２２ｃが耳掛部材１１０側面に乗り上げる際に人の手指等で係止部１２２ｃが耳掛部材１１０に対して離間する方向に直接持ち上げられる場合であっても、該第２支持部１２２ｂが、力点部１２２ｂ’に対して芯金部１２１側に人の手指等で外力が加えられることにより、係止部１２２ｃ側が第１支持部１２２ａを支点として耳掛部材１１０における係合穴１１２との係止姿勢から芯金部１２１に対して離間する方向Ｘに回動し、前記外力が解除されることにより、前記係止姿勢に復帰するように構成されているので、人の手指等で係止部１２２ｃが耳掛部材１１０に対して離間する方向に直接持ち上げられる際に、第２支持部１２２ｂの係止部１２２ｃ側を回動させるために人の手指等によって力点部１２２ｂ’に加える力をテコの作用によって軽減でき、これにより、該係止部１２２ｃを容易に持ち上げることができる。
【００３０】
なお、テンプル２は、本例では、所謂プラスチックテンプルタイプの如く構成されており、耳掛部材１１０が芯金部材１２０に対して着脱可能となっているが、所謂メタルテンプルタイプの如く構成されていて、先セルを構成する耳掛部材と芯金部材とを備え、該先セルが該芯金部材に対して着脱可能となっていてもよい。
【００３１】
このようにテンプル２では、ユーザが手軽に耳掛部材を取り替えることができるのであるが、図６（Ａ）に示すように、耳掛部材の厚みを大きくしてユーザの開閉動作等による外力に対して耐久性を向上させた耳掛部材１１０ｘに取り替えたり、図６（Ｂ）に示すように、予め用意された各種の装飾されたテンプルの中からＴＰＯに併せて選択された好みの耳掛部材１１０ｙに取り替えることも簡単にできる。
【００３２】
また、テンプル２における耳掛部材１１０には図７に示すような耳当て部材４３が設けられていてもよい。図７は図１に示すテンプル２における耳掛部材１１０の先端部側２ｂ部分に耳当て部材４３を設けるように構成した一例の該先端部側２ｂ部分を拡大した概略側面図である。なお、図７に示すテンプル２は、図１から図５に示すテンプル２において、耳掛部材１１０に耳当て部材４３を設けるように構成にした以外は図１から図５に示すテンプル２と同様のものである。
【００３３】
図７に示すように、耳掛部材１１０の先端部側２ｂには、耳の裏側に当接可能な耳当て部材４３が着脱可能に設けられている。さらに説明すると、耳掛部材１１０には、耳当接側部分の幅方向両端部において耳当接側に延びる左右一対の支持部４４が設けられており、該左右一対の支持部４４には、耳当て部材４３をビス８により固定するためのビス穴４４ａがそれぞれ形成されている。
【００３４】
耳当て部材４３には、軸方向Ｚの略中央部において耳当接側とは反対側から延設される延設部４３ａが設けられている。この延設部４３ａには、前記ビス８が貫通する貫通孔が形成されている。これにより、ビス８を延設部４３ａの前記貫通孔を通して支持部４４のビス穴４４ａに取り付けることで、耳当て部材４３を先セル１１０に着脱可能に固着することができる。
【００３５】
また、テンプル２では、スポーツ等の激しい運動を行う際に適用できる耳掛部材１１０として、例えば、図８に示すような耳掛部材及び図９に示すような耳掛部材にも容易に取り替えることができる。なお、図８に示すテンプル２は、図１から図５に示すテンプル２において、耳掛部材１１０に耳当て部材２３を設けるように構成にした以外は図１から図５に示すテンプル２と同様のものであり、また、図９（Ｂ）に示すテンプル２は、図１から図５に示すテンプル２において、耳掛部材１１０に眼鏡取り付け具３０を設けるように構成にした以外は図１から図５に示すテンプル２と同様のものである。
【００３６】
図８に示すテンプル２は、耳の裏側に当接可能な耳当接部２３ａ及びテンプル本体の後部と該耳当接部２３ａとを揺動可能に取り付けるためのピン又はネジ等の軸部材７が取り付けられた揺動部２３ｂを有する耳当て部材２３と、テンプル本体の耳当て部材２３が取り付けられた部位２２ａより基端部側２ａにある所定部２２ｂと耳当接部２３ａの基端部側２ａ端部領域２３ｃとを連結する可撓性の絡み防止部材４とを具備している。なお、図示例では、耳当接部２３ａ、所定部２２ｂ及び絡み防止部材４は一体的に形成されている。
【００３７】
このテンプル２が取り付けられた眼鏡フレームでは、前枠１に取り付けられた鼻当て用のパッド６（図１参照）を鼻に掛けるとともに、湾曲した耳当て部材２３の耳当接部２３ａを耳の裏側（耳と頭との間）の湾曲部に掛けることによって着用される。
【００３８】
この眼鏡フレームにおいては、眼鏡を掛けた状態で、前枠１がずれ落ちようとすると、前枠１から延出されたテンプル２の後部はずれ上がろうとし、テンプル本体の後部に取り付けられた耳当て部材２３の耳当接部２３ａを上方へ移動させようとする。そして、耳当て部材２３の耳当接部２３ａが上方へ移動しようとすると、耳当て部材２３のテンプル本体に取り付けられる部位である揺動部２３ｂ（テンプル本体の耳当て部材２３が取り付けられる部位２２ａ）に挿通された軸部材７を中心として耳当接部２３ａは、図８において左回りへ回転しようとする。このとき、耳当接部２３ａの基端部側２ａ端部領域２３ｃが耳の裏側を押圧する力が大きくなり、その結果、耳当接部２３ａと耳の裏側との相対的な移動が阻止され、テンプル２の後部のずれ上がりが阻止される。このようにして、眼鏡のずれ落ちを防止することができる。
【００３９】
また、耳当接部２３ａの長手方向の略中間部に揺動部２３ｂが設けられるように構成されており、耳当て部材２３のテンプル本体に取り付けられる部位である揺動部２３ｂ及びテンプル本体の耳当て部材２３が取り付けられる部位２２ａには、揺動部２３ｂの揺動範囲を規制する規制機構１８が設けられるように構成されるとともに、テンプル本体と耳当て部材２３の揺動部２３ｂとの取り付けには、ピン又はねじ等の軸部材７が用いられるように構成される。規制機構１８は、テンプル本体の耳当て部材が取り付けられる部位２２ａに設けられた当接面２８に耳当て部材２３の支持片３８が当接することにより揺動を規制する構成となっている。
【００４０】
このような規制機構１８を設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材７を介して耳当て部材２３がテンプル本体の取り付け部位２２ａに取り付けられる構成であるため、力の損失が少なく、スムーズな揺動を容易かつ安価に達成することができる。また、軸部材７の軸回りに規制機構１８を設けることにより、規制機構１８を容易に構成することができる。なお、耳当て部材２３に取り付けられた揺動部２３ｂが軸部材７に揺動可能に取り付けられているが、耳当て部材２３自体（耳当接部２３ａ）に孔を開けて軸部材７を介して耳当て部材２３がテンプル本体に対して揺動可能に取り付けてもよい。また、テンプル本体の耳当て部材２３が取り付けられた部位２２ａは、テンプル２の先端部であるように構成される。この場合、眼鏡フレームのテンプル２と耳当て部材２３とが一体ではない構造を有しているにも関わらず、一般的な形状の眼鏡フレームを用いてきた使用者であっても違和感なく着用することができる。
【００４１】
また、図８に示すように、可撓性の絡み防止部材４がテンプル本体の耳当て部材２３が取り付けられた部位２２ａより基端部側２ａにある所定部２２ｂと耳当て部材２３の耳当接部２３ａの基端部側２ａ端部領域２３ｃとを連結するように取り付けられている。こうすることで、眼鏡を外す際に、テンプル２を上方へ持ち上げた場合であっても、テンプル本体と耳当接部２３ａの基端部側２ａ端部領域２３ｃとの間が絡み防止部材４で塞がれているため、髪の毛がＱ方向からテンプル本体と耳当接部２３ａとの取り付け部分（揺動部２３ｂ）に入り込みにくく、これに絡まることが抑制される。また、絡み防止部材４は、可撓性を有しているため、眼鏡フレームのずれ落ち抑制の機能を阻害することもない。このように、可撓性の絡み防止部材４によってテンプル本体の耳当て部材２３が取り付けられた部位２２ａより基端部側２ａにある所定部２２ｂと耳当接部２３ａの基端部側２ａ端部領域２３ｃとを連結することにより、鼻に掛かる負担を大きくすることなく眼鏡のずれ落ちを防止できるとともに、眼鏡を外す際に髪の毛の眼鏡への絡みを抑制することができる。
【００４２】
図９に示すテンプル２は、眼鏡取り付け具３０を具備しているものである。この眼鏡取り付け具３０は、眼鏡フレームに着脱可能な眼鏡取り付け具であって、図１に示すようなテンプル２の先端部側２ｂ所定部位２０ａに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材７が取り付けられた揺動部３０ｂとを具備するものである。また、クリップ部３０ｄと耳当接部３０ａとは、揺動部３０ｂにより、ピン又はねじ等の軸部材７を用いて揺動可能に取り付けられる。これにより、テンプル２と眼鏡取り付け具３０の耳当接部３０ａとは、揺動可能に取り付けられる。また、テンプル２が先端部に向けて次第に分厚くなるような形状の場合は、クリップ部３０ｄの内径に所定の余裕を持たせてもクリップ部３０ｄがテンプル２の先端部側２ｂから抜け落ちることを防止することができる。
【００４３】
また、図９に示すように、一端が耳当接部３０ａの基端部側２ａ端部３０ｃに連結され、他端がテンプル２のクリップ部３０ｄが取り付けられた部位２０ａより基端部側２ａにある所定部２０ｂに着脱可能な可撓性の絡み防止部材４をさらに具備するように構成されている。この可撓性の絡み防止部材４によってテンプル２のクリップ部３０ｄが取り付けられた部位２０ａより基端部側２ａにある所定部２０ｂと眼鏡取り付け具３０の耳当接部３０ａの基端部側２ａ端部３０ｃとを連結することにより、鼻に掛かる負担を大きくすることなく眼鏡のずれ落ちを防止できるとともに、眼鏡を外す際に髪の毛の眼鏡への絡みを抑制することができる。さらに、絡み防止部材４の他端をテンプル２に着脱可能に取り付けるための構成として、図９（Ａ）に示すような、可撓性部材で形成されたクリップ部４ａを用いている。
【００４４】
なお、図１０に示すように、耳掛部材１１０’を芯金部１２１に単に指し込むような形態も使用することが可能である。なお、図１０に示すテンプル２は、図１から図５に示すテンプル２において、図８に示す耳掛部材１１０の先端部側部分のみを先セル態様の耳掛部材１１０’として用い、該先セル態様の耳掛部材１１０’を芯金部１２１に単に指し込むような構成とした以外は図１から図５に示すテンプル２と同様のものである。
【図面の簡単な説明】
【００４５】
【図１】図１は、本発明の実施形態に係る眼鏡フレーム用テンプルであって、所謂プラスチックテンプルタイプの如く構成したテンプルの一例を備えた眼鏡フレームの概略構成を示す斜視図である。
【図２】図２は、図１に示すテンプルにおいて芯金部材の一例から耳掛部材の一例を取り外した状態の該耳掛部材及び該芯金部材を示す概略構成図であり、図２（Ａ）にその平面図を、図２（Ｂ）にその外側面図を示す。
【図３】図３は、図２（Ａ）に示す芯金部材と耳掛部材との取り付け部分の一部断面を含む拡大図である。
【図４】図４は、耳掛部材が芯金部材に取り付けられた状態の拡大図である。
【図５】図５は、耳掛部材の他の例が芯金部材に取り付けられた状態の拡大図である。
【図６】図６は、図１から図５に示すテンプルに適用できる耳掛部材の例を示す概略側面図であり、図６（Ａ）は耳掛部材の厚みを大きくしてユーザの開閉動作等による外力に対して耐久性を向上させたものを、図６（Ｂ）は予め用意された各種の装飾された耳掛部材の中からＴＰＯに併せて選択されたものを示している。
【図７】図７は、図１から図５に示すテンプルにおける耳掛部材の先端部側部分に耳当て部材を設けるように構成した一例の該先端部側部分を拡大した概略側面図である。
【図８】図８は、図１から図５に示すテンプルのさらに他の例を示す図であって、該テンプルにおける耳掛部材の先端部側部分を拡大した概略側面図である。
【図９】図９は、図８に示すテンプルの変形例を示す概略側面図であり、図９（Ａ）に眼鏡取り付け具を、図９（Ｂ）にそれを装着したテンプルを示す。
【図１０】図１０は、耳掛部材を芯金部に単に指し込むような形態を示す概略側面図である。
【符号の説明】
【００４６】
２…眼鏡フレーム用テンプル  ２ａ…基端部側  ２ｂ…先端部側  １１０…耳掛部材  
１１１…挿通穴  １１０ａ…耳掛部材の基端部  １１１ａ…挿通穴の開口  
１１２…係合穴  １１３…摺動溝  １２０…芯金部材  １２１…芯金部  
１２２…係止部材  １２２ａ…第１支持部  １２２ｂ…第２支持部  
１２２ｂ’…力点部  １２２ｃ…係止部  ｈ１…係止部の一辺  ｈ２…係止部の他辺  
θ１…係止部の一辺と芯金部となす角度  θ２…係止部の他辺と芯金部となす角度  
【図１】
2006153945.tif 000003
【図２】
2006153945.tif 000004
【図３】
2006153945.tif 000005
【図４】
2006153945.tif 000006
【図５】
2006153945.tif 000007
【図６】
2006153945.tif 000008
【図７】
2006153945.tif 000009
【図８】
2006153945.tif 000010
【図９】
2006153945.tif 000011
【図１０】
2006153945.tif 000012
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
耳掛部材と、芯金部を有する芯金部材とを備え、
前記芯金部材は、前記芯金部の基端部側側方に設けられた第１支持部と、該第１支持部から先端部側に向けて軸方向に沿って延びる第２支持部と、該第２支持部の先端部側から該芯金部側に向けて突出する係止部とからなる係止部材を有しており、
前記耳掛部材は、前記芯金部を挿通する挿通穴であって、基端部に設けられた開口から先端部側に向けて軸方向に沿って延びる挿通穴と、前記係止部と係合する係合穴とを有しており、
前記第１支持部及び前記第２支持部のうち少なくとも一方が可撓性を有していることを特徴とする眼鏡フレーム用テンプル。
【請求項２】
前記耳掛部材には、基端部から前記係合穴に向けて軸方向に沿って延びる摺動溝が設けられていることを特徴とする請求項１に記載の眼鏡フレーム用テンプル。
【請求項３】
前記係止部は、断面視略三角形状に形成されており、該三角形状の先端部側の一辺及び基端部側の他辺と前記芯金部となす角度がいずれも９０°より小さい角度であることを特徴とする請求項１又は２に記載の眼鏡フレーム用テンプル。
【請求項４】
前記第２支持部が、前記第１支持部から基端部側に向けて軸方向に沿って延びる力点部をさらに有しており、該力点部に対して前記芯金部側に外力が加えられることにより、前記係止部側が前記第１支持部を支点として前記係合穴との係止姿勢から前記芯金部に対して離間する方向に回動し、前記外力が解除されることにより、前記係止姿勢に復帰するように構成されていることを特徴とする請求項１から３のいずれかに記載の眼鏡フレーム用テンプル。